(57)【要約】【課題】接触片の多様な配置に対して効率よく自在に対応可能な配線端子台を有するジャック端子装置を提供する。【解決手段】台板２に配線端子台３が取り付けられるジャック端子装置１において、配線端子台３は、形状の異なる端子台ユニット４及び蓋ユニット５のバリエーションのなかから台板２の端子８の配置及び使用に適合する端子台ユニット４ａ，４ｂ及び蓋ユニット５が選択され、組み合わされて使用される。【選択図】図１
2017188278.tif 000002
【特許請求の範囲】
【請求項１】
台板に配線端子台が取り付けられるジャック端子装置において、
前記配線端子台は、形状の異なる複数の端子台ユニットから前記台板の端子の配置に適合する端子台ユニットが選択されて組み合わされる、
ジャック端子装置。
【請求項２】
請求項１に記載のジャック端子装置であって、前記端子台ユニットには、前記配線端子台として使用しない部分に取り付ける蓋ユニットが含まれる、
ジャック端子装置。
【請求項３】
請求項１又は２に記載のジャック端子装置であって、前記端子台ユニット及び蓋ユニットは、前記台板に対して着脱自在に取り付けられる、
ジャック端子装置。
【請求項４】
請求項１乃至３のいずれか１項に記載のジャック端子装置であって、前記端子台ユニットは、予め電線を配線した状態で前記台板に後付けで取り付けられる、
ジャック端子装置。
【請求項５】
請求項１乃至４のいずれか１項に記載のジャック端子装置であって、前記端子台ユニットは、電線配線口を有し、電線を該電線配線口に着脱自在に配線させる、ジャック端子装置。
【発明の詳細な説明】
【技術分野】
【０００１】
本発明は、ジャック端子装置に係り、特に、台板に電線を接続する配線端子の差込み口である配線端子台が取り付けられるジャック端子装置に関する。
【背景技術】
【０００２】
従来、ジャック端子装置は、装置自体を配電盤に設置した状態でジャック端子装置に備えられた配線端子に電線を半田付けにより取り付けていた。この半田付けによる配線は配線作業自体に多くの時間を要する。また、半田付けによる配線の品質は、作業者の技術に依存するため、半田付けにより配線不良を起こす虞がある。さらに、この配線作業は現場に設置された配電盤に向かって行うため作業性が悪い。
【０００３】
図７に、従来の半田付け方式によるジャック端子装置２０の実施例を側面図により示す。また、図８に、図７のジャック端子装置２０の実施例を正面図により示す。
【０００４】
図７及び図８に示すように、ジャック端子装置２０は、台板２の一方に止めねじ１８、ナット１７、座金１９、接触片１６ａが取り付けられる。そして、この接触片１６ａには電線が半田付けにより取り付けられる。また、台板２の他方には、例えばリレー１０などの端子が接続される接触片（図示せず）が設けられ、案内管６によりリレー１０（図１参照）と接続される。
【０００５】
この半田付けによる配線作業を改善するために「ネジレス端子配線方式」が提案されている。このネジレス端子配線方式は、特許文献１に示すように、バネの復元力により配線された電線を端子台装置に固定する方式であり、配線時には電線配線口に電線を押し込むことで配線が完了する。そして、配線を外す際にはレバーを押し込んでバネを弾性変形させて電線を外すことができる。
【０００６】
特許文献１には、複数本の電線が端子台装置を介して接続された回路基板を有する機器を交換する場合に、各電線を接続しなおす必要がなく機器を容易に交換できる端子台装置が開示されている。この端子台装置は、機器の回路基板に半田付けにより固定する端子台ベースを備えている。また、端子台ベースには複数本の電線を接続する端子台本体が脱着可能に取り付けられている。そして、取付用ねじのナットへの螺合締付けにより端子台本体を端子台ベースに取り付けると、ベース端子のスプリング端子接続部とスプリング端子のベース端子接続部とが接続することが記載されている。
【０００７】
このネジレス端子配線方式の採用により、配線作業時間自体の短縮、配線不良件数の削減が達成された。特に、現場で配電盤に向かって行う配線作業時間が激減したことで作業性が向上した。
【先行技術文献】
【特許文献】
【０００８】
【特許文献１】特開２０１３−１１５００６号公報
【発明の概要】
【発明が解決しようとする課題】
【０００９】
ジャック端子装置による配線に関し、ネジレス端子配線方式の採用により従来の半田付け方式の問題は解消される。しかし、ジャック端子装置に取り付けられる接触片は、設計により多様な配置が発生する。また、配線端子台を使用しない接触片が生じるため、それらの接触片には保護用の蓋をする必要がある。
【００１０】
現状では、これらの接触片の多様な配置、及び配線端子台を使用しない接触片に対して個別に配線端子台及び蓋を製作して対応している。そのため、個別製作により設計及び製作に時間とコストがかかるという問題がある。
【００１１】
本願の目的は、かかる課題を解決し、接触片の多様な配置に対して効率よく自在に対応可能な配線端子台を有するジャック端子装置を提供することである。
【課題を解決するための手段】
【００１２】
上記目的を達成するため、本発明に係るジャック端子装置は、台板に配線端子台が取り付けられるジャック端子装置において、配線端子台が形状の異なる複数の端子台ユニットから台板の端子の配置に適合する端子台ユニットが選択されて組み合わされることを特徴とする。
【００１３】
上記構成により、配線端子台が端子台ユニットとして標準化される。これにより、ジャック端子装置の取り付けを行う作業者は、端子台ユニットのバリエーションのなかから台板の端子の配置に適合する最適な端子台ユニットを選択することができる。
【００１４】
また、端子台ユニットの各バリエーションは、予め作り置きしておくことができる。これにより、端子台の設計及び製作に時間をかけずに配線作業を効率的に行うことができる。また、個別に設計及び製作をする必要がないため端子台ユニットの製作コストを削減できる。
【００１５】
また、ジャック端子装置は、端子台ユニットを台板に実装しない部分に取り付ける蓋ユニットが含まれることが好ましい。これにより、配線端子台として使用しない接触片に対する蓋についても標準化され、端子台ユニットのバリエーションとして活用される。従って、ジャック端子装置の取り付けを行う作業者は、端子台ユニットと蓋ユニットから最適な組み合わせを選択することができる。
【００１６】
また、ジャック端子装置は、端子台ユニット及び蓋ユニットが台板に対して着脱自在に取り付けられることが好ましい。これにより、各端子台ユニットを個別に交換することができ、メンテナンス時や配線変更時などの作業が容易になり省力化が図れる。
【００１７】
また、ジャック端子装置は、端子台ユニットに予め電線を配線した状態で台板に後付けで取り付けられることが好ましい。これにより、電線が配線された状態の端子台ユニットを台板に取り付けることで配線作業を省力化、簡素化することができる。また、既設の台板を簡易に交換することができる。
【００１８】
さらに、ジャック端子装置は、端子台ユニットに電線配線口を有し、電線をこの電線配線口に着脱自在に配線させることが好ましい。これにより、それぞれの電線を個別に交換することができ、メンテナンス時や配線変更時などの作業が容易になり省力化が図れる。
【発明の効果】
【００１９】
以上のように、本発明に係るジャック端子装置によれば、端子台ユニットの標準的なバリエーションを、予め作り置きしておくことができ、形状の異なる複数の端子台ユニットから台板の端子の配置に適合する端子台ユニットを選択して組合せることができる。
【００２０】
これにより、接触片の多様な配置に対して効率よく自在に対応可能な配線端子台を有することができる。
【００２１】
さらに、端子台の設計及び製作に時間をかけずに配線作業を効率的に行うことができ、個別に設計及び製作をする必要がないため、端子台ユニットの製作コストを削減できる。
【図面の簡単な説明】
【００２２】
【図１】本発明に係るジャック端子装置の一つの実施形態の概略構成を示す斜視図である。
【図２】図１のジャック端子装置の側面図である。
【図３】図２のジャック端子装置をＡ−Ａ方向から見た正面図である。
【図４】図２のジャック端子装置をＢ−Ｂ方向から見た背面図である。
【図５】ジャック端子装置に取り付く端子台ユニット及び蓋ユニットのバリエーションの実施例を示す説明図である。
【図６】ジャック端子装置に取り付く端子台ユニット及び蓋ユニットの組み合わせの実施例を示す説明図である。
【図７】従来の半田付け方式によるジャック端子装置を示す側面図である。図である。
【図８】図７のジャック端子装置をＣ−Ｃ方向から見た正面図である。
【発明を実施するための形態】
【００２３】
（ジャック端子装置の構成）
以下に、図面を用いて本発明に係るジャック端子装置１につき、詳細に説明する。図１に、本発明に係るジャック端子装置１の一つの実施形態の概略構成を斜視図で示す。また、このジャック端子装置１について側面図を図２に示し、正面図を図３に示し、背面図を図４にそれぞれ示す。
【００２４】
図１に示すように、本実施形態におけるジャック端子装置１は、リレー１０に接続される場合を示すが、リレー１０に限らず、様々な機器の配線コネクタとして用いられる。図２に示すジャック端子装置１の側面図において、台板２に対して配線端子台３が取り付く側を表側とし、この表側を図３にＡ−Ａ方向から見た正面図として示す。
【００２５】
本実施形態のジャック端子装置１は、台板２に配線端子台３として端子台ユニット４ａ，４ｂが接続される。すなわち、配線端子台３は、形状の異なる端子台ユニット４のバリエーション群４ａ〜４ｆのなかから台板２の端子８の配置に適合する端子台ユニット４ａ，４ｂが選択されて組み合わされる。ここで、端子台ユニット４ａは、例えばリレー１０の各接点を駆動させる端子８である。また、端子台ユニット４ｂは、リレー１０のコイルを駆動させるための端子８である。
【００２６】
また、ジャック端子装置１には配線端子台３として使用しない部分に取り付ける蓋ユニット５が取り付けられる。すなわち、配線端子台３は、形状の異なる蓋ユニット５のバリエーション群５ａ〜５ｆのなかから台板２の端子８の配置に適合する蓋ユニット５が選択されて組み合わされる。なお、端子台ユニット４のバリエーション群４ａ〜４ｆ、及び蓋ユニット５のバリエーション群５ａ〜５ｆは、一つの実施例であり、これらのバリエーションには限らない。
【００２７】
ジャック端子装置１の端子台ユニット４及び蓋ユニット５は、それぞれ台板２に対して着脱自在に取り付けられる。図１中に、一つの端子台ユニット４の端子８を取り出して詳細を示す。この端子８には、電線９が挿入されてロックされる電線挿入口１１、電線９のロックが解除されるロック解除レバー１２、及び検査用のチェックピン（図示せず。）が挿入されるチェックピン挿入口１３が設けられる。端子８に設けられる「ネジレス端子配線方式」は公知の技術であり、特許文献１にその詳細が開示されている。この「ネジレス端子配線方式」は、バネの復元力により配線された電線９を端子８に固定する方式であり、配線時には電線挿入口１１に電線９を押し込むことで配線が完了する。そして、電線９を外す際にはロック解除レバー１２を押し込んでバネを弾性変形させて電線９を外すことができる。本発明では、この技術をジャック端子装置１の端子台ユニット４だけではなく蓋ユニット５にも適用し、汎用性の高いジャック端子装置１を実現している。
【００２８】
また、ジャック端子装置１には、止めねじ１８が設けられ、配線端子台３が台板２に固定される。図２に示すように、この止めねじ１８には一組のナット１７、座金１９などが備えられている。さらに、図３に示すように、配線端子台３は、端子台引掛け部１４を端子台引掛け孔１５に挿入することで台板２に着脱自在に取り付けられる。
【００２９】
一方、図２に示すジャック端子装置１の側面図において、例えばリレー１０などの機器に接続する側を裏側とし、この裏側を図４にＢ−Ｂ方向から見た背面図として示す。このジャック端子装置１の裏面には、例えばリレー１０などの機器に設けられる端子８と接続する接触片１６ｂが設けられる。また、例えばリレー１０などの機器に設けられる案内溝７（図１参照）と結合する案内管６が設けられる。なお、接触片１６ｂは「接触子」と称される場合もある。
【００３０】
ジャック端子装置１は、端子台ユニット４が予め電線９を配線した状態で台板２に後付けで取り付けられる。すなわち、端子台ユニット４のバリエーション群４ａ〜４ｆ、及び蓋ユニット５のバリエーション群５ａ〜５ｆのうちから適切な端子台ユニット４及び蓋ユニット５が選択されて台板２に取り付けられる。この配線作業は、端子台ユニット４及び蓋ユニット５を台板２に取り付ける前に、その端子台ユニット４の端子８に予め所定の電線９を配線しておく。このように、端子台ユニット４に電線９を配線した状態で台板２に取り付けることで配線作業を省力化、簡素化することができる。また、既設の台板２を簡易に交換することができる。
【００３１】
（端子台ユニットのバリエーション）
図５に、ジャック端子装置１に取り付く配線端子台３のバリエーションである端子台ユニット４及び蓋ユニット５の実施例を示す。これらの端子台ユニット４及び蓋ユニット５は、台板２に対してそれぞれのユニットが着脱自在に取り付けられる。
【００３２】
まず、端子台ユニット４のバリエーションの実施例について説明する。端子台ユニット４ａは、６個の端子８が接続される基本的な配線端子台３であり、例えばリレー１０の接点の駆動に用いられ、通称「１２ピン」と称される。また、端子台ユニット４ｂは、２個の端子８が接続される基本的な配線端子台３であり、例えばリレー１０のコイルを駆動させるための端子８に用いられ、通称「４ピン」と称される。また、端子台ユニット４ｃ，４ｄ，４ｅ，４ｆは、それぞれ、５個、４個、３個、２個の端子８が接続される端子台ユニット４ａのバリエーションである。
【００３３】
次に、蓋ユニット５のバリエーションの実施例について説明する。蓋ユニット５ａは、６個の端子８が接続される端子台ユニット４ａに対応して蓋が設けられる配線端子台３のバリエーションである。また、蓋ユニット５ｂは、２個の端子８が接続される端子台ユニット４ｂに対応して蓋が設けられる配線端子台３のバリエーションである。また、蓋ユニット５ｃ，５ｄ，５ｅ，５ｆは、それぞれ、端子台ユニット４ｃ，４ｄ，４ｅ，４ｆに対応して蓋が設けられる蓋ユニット５ａのバリエーションである。
【００３４】
このように、ジャック端子装置１に用いられる配線端子台３は、使用する端子８に用いる端子台ユニット４と、使用しない端子８に用いる蓋ユニット５とを組み合わせることで標準化することが可能となる。なお、これらの端子台ユニット４及び蓋ユニット５は、上述した端子台ユニット４ａ〜４ｆ、及び蓋ユニット５ａ〜５ｆに限らずジャック端子装置１に用いられる端子台ユニット４、及び蓋ユニット５であればすべて対象になる。さらに、配線端子台３の配置は、図５に示す以外の配置、例えば、台板２に対して縦方向の列ではなく横方向の列であっても良い。そして、これらの配線端子台３の配置に適応した端子台ユニット４及び蓋ユニット５のバリエーションが設計されても良い。
【００３５】
図６に、図５の端子台ユニット４及び蓋ユニット５のバリエーションの実施例に基づき、ジャック端子装置１ａ，１ｂ，１ｃに取り付く端子台ユニット４及び蓋ユニット５の組み合わせの実施例を示す。
【００３６】
図６（ａ）には、６個の端子８が接続される端子台ユニット４ａが３台選択され、２個の端子８が接続される端子台ユニット４ｂが１台選択されたジャック端子装置１ａを示す。また、図６（ｂ）には、４個の端子８が接続される端子台ユニット４ｄが２台選択され、２個の端子８が接続される４ｂが１台選択されたジャック端子装置１ｂを示す。このジャック端子装置１ｂには、さらに６個の端子８が接続される端子台ユニット４ａに対応して蓋が設けられる蓋ユニット５ａ、及び２個の端子８が接続される端子台ユニット４ｆに対応して蓋が設けられる蓋ユニット５ｆが２台選択される。さらに、図６（ｃ）には、６個の端子８が接続される端子台ユニット４ａが１台選択され、３個の端子８が接続される４ｅが１台選択されたジャック端子装置１ｃを示す。このジャック端子装置１ｃには、６個の端子８が接続される端子台ユニット４ａに対応して蓋が設けられる蓋ユニット５ａ、２個の端子８が接続される端子台ユニット４ｂに対応して蓋が設けられる蓋ユニット５ｂ、及び３個の端子８が接続される端子台ユニット４ｅに対応して蓋が設けられる蓋ユニット５ｅがそれぞれ１台選択される。
【００３７】
このように、端子台ユニット４及び蓋ユニット５は、台板２の端子８の配置に適合する端子台ユニット４及び蓋ユニット５のバリエーションのなかから選択されて組み合わされて使用される。
【００３８】
以上の実施形態で説明された構成、形状、大きさ、及び配置関係については、本発明が理解、実施できる程度に概略的に示したものにすぎない。従って、本発明は、説明された実施形態に限定されるものではなく、特許請求の範囲に示される技術的思想の範囲を逸脱しない限り様々な形態に変更することができる。
【符号の説明】
【００３９】
１，１ａ，１ｂ，１ｃ，２０  ジャック端子装置、２  台板、３  配線端子台、４，４ａ，４ｂ，４ｃ，４ｄ，４ｅ，４ｆ  端子台ユニット、５，５ａ，５ｂ，５ｃ，５ｄ，５ｅ，５ｆ  蓋ユニット、６  案内管、７  案内溝、８  端子、９  電線、１０  リレー、１１  電線配線口、１２  ロック解除レバー、１３  チェックピン挿入口、１４  端子台引掛け部、１５  端子台引掛け孔、１６ａ，１６ｂ  接触片（又は接触子）、１７  ナット、１８  止めねじ、１９  座金。
【図１】
2017188278.tif 000003
【図２】
2017188278.tif 000004
【図３】
2017188278.tif 000005
【図４】
2017188278.tif 000006
【図５】
2017188278.tif 000007
【図６】
2017188278.tif 000008
【図７】
2017188278.tif 000009
【図８】
2017188278.tif 000010